(57)【要約】【課題】この発明はベッド本体の長手方向一端に設けられるキャビネットを利用し易くしたベッド装置を提供することにある。【解決手段】上面にマットレス３が載置されるベッド本体１と、このベッド本体の長手方向一端に設けられるキャビネット５とを具備し、  上記キャビネットは、前面が開口した箱状体６を有し、この箱状体の前面開口は上下方向に変位する扉部材１２によって開閉される構成である。【選択図】      図１
2005296398.tif 000002
【特許請求の範囲】
【請求項１】
上面にマットレスが載置されるベッド本体と、このベッド本体の長手方向一端に設けられるキャビネットとを具備し、
上記キャビネットは、前面が開口した箱状体を有し、この箱状体の前面開口は上下方向に変位する扉部材によって開閉される構成であることを特徴とするベッド装置。
【請求項２】
上記扉部材は保持部材によって上昇位置で保持可能に設けられていることを特徴とする請求項１記載のベッド装置。
【請求項３】
上記扉部材はヒンジ機構によって上記箱状体に連結されていて、上記ヒンジ機構は、一端を上記箱状体に回動可能に連結し他端を上記扉部材の内面下端部に回動可能に連結した一対のリンクを有し、上記保持部材は上記扉部材を上昇位置で上記リンクを介して保持する回転ダンパであることを特徴とする請求項１記載のベッド装置。
【発明の詳細な説明】
【技術分野】
【０００１】
この発明はベッド本体の長手方向一端にキャビネットが設けられるベッド装置に関する。
【背景技術】
【０００２】
一般に、ベッド装置は、上面にマットレスが載置されるベッド本体を有する。このベッド本体の長手方向一端にはヘッドボードが設けられ、他端にはフット−ボードが設けられる。ベッド装置の利用者は枕元に小物類を置きたい場合がある。そこで、ベッド本体の長手方向一端に、上記ヘッドボードに代えてキャビネットを置き、このキャビネットの内部空間を小物類などの置き場所として利用するようにしている。
【０００３】
キャビネットとしては、前面が開口した箱状体を有し、この箱状体の前面開口を扉部材によって開閉できるようにしたものがある。従来、上記箱状体の前面開口には左右一対の扉部材が設けられ、これら一対の扉部材は、箱状体の幅方向の中央から左右に開閉する、いわゆる観音開きとなっていた。
【発明の開示】
【発明が解決しようとする課題】
【０００４】
箱状体の前面開口が観音開きの一対の扉部材によって開閉される構造であると、一対の扉部材を開くとき、これら扉部材をマットレスの長手方向一端部の上面で水平方向に旋回させなければならない。
【０００５】
箱状体の内部を利用できる程度に扉部材を開くためには、一対の扉部材の少なくとも一方を水平方向に９０〜１８０度の角度で開かなければならない。そのため、利用者がマットレス上で扉部材を開けようとすると、旋回する扉部材に身体が当たらないようにしなければならないから、扉部材の開閉操作がし難いということがあった。
【０００６】
しかも、９０度程度の角度で開かれた扉部材はマットレスの上面に位置することになる。そのため、マットレス上の利用者にとって開放された扉部材が邪魔であるということもあった。
【０００７】
さらに、箱状体の内部を利用し易くするため、扉部材の開き角度を９０度以上の大きな角度で開けたい場合には、その開閉操作がさらにし難くなるということもあった。  
この発明は、扉部材の開閉操作がし易く、しかも開放した扉部材がマットレス上にいる利用者の邪魔にならないようにしたベッド装置を提供することにある。
【課題を解決するための手段】
【０００８】
この発明は、上面にマットレスが載置されるベッド本体と、このベッド本体の長手方向一端に設けられるキャビネットとを具備し、
上記キャビネットは、前面が開口した箱状体を有し、この箱状体の前面開口は上下方向に回動変位する扉部材によって開閉される構成であることを特徴とするベッド装置にある。
【０００９】
上記扉部材は保持部材によって上昇位置で保持可能に設けられていることが好ましい。
【００１０】
上記扉部材はヒンジ機構によって上記箱状体に連結されていて、上記ヒンジ機構は、一端を上記箱状体に回動可能に連結し他端を上記扉部材の内面下端部に回動可能に連結した一対のリンクを有し、上記保持部材は上記扉部材を上昇位置で上記リンクを介して保持する回転ダンパであることが好ましい。
【発明の効果】
【００１１】
この発明によれば、扉部材を上方へ回動変位させることで、キャビネットの前面開口を開放できるようにしたから、利用者はマットレス上で身体を大きく避けることなく扉部材を容易に開閉させることができ、しかもキャビネットの前面開口を開放した扉部材が上方に位置するため、マットレス上の利用者の邪魔になり難くい。
【発明を実施するための最良の形態】
【００１２】
以下、この発明の一実施の形態を図面を参照して説明する。  
図１はこの発明のベッド装置を示す斜視図であって、このベッド装置はベッド本体１を備えている。このベッド本体１は矩形状のフレーム２を有し、このフレーム２内には図示しない床板が架設されていて、この床板上にはマットレス３が載置されている。
【００１３】
上記ベッド本体１の長手方向一端にはキャビネット５が設けられている。このキャビネット５は、箱状体６を有する。この箱状体６の内部には、図２と図３に示すように収容部７が形成されている。
【００１４】
つまり、収容部７は、箱状体６の内部の高さ方向中途部に設けられた底板８と、幅方向の両端部内に設けられた一対の側板９とによって上記箱状体６の内部に区画形成されている。上記収容部７は複数の仕切り板７ａによって左右に２つの部分に区画され、それぞれの部分には棚板１０が水平に架設されている。そして、この棚板１０上や上記底板８上に小物類などが収容載置されるようになっている。
【００１５】
上記収容部７は箱状体６の前面の幅方向に所定の寸法で開口しており、この開口部１１は扉部材１２によって開閉されるようになっている。すなわち、扉部材１２は、この扉部材１２の内面の幅方向両端部と、上記収容部７の側板９とをそれぞれ連結した一対のヒンジ機構１４によって上下方向に変位可能に連結されている。
【００１６】
図３と図４に示すように、上記ヒンジ機構１４は上記側板９の内面上部に取付けられたベース板１５を有する。このベース板１５の上部には保持部材としての回転ダンパ１６が設けられ、取付け金具１７によって保持されている。この回転ダンパ１６の取付け軸１６ａには所定間隔で離間した２枚の連結板１８の一端部が取付けられている。この連結板１８の他端部には第１のリンク１９の一端部が挟持固定されている。
【００１７】
上記扉部材１２の幅方向端部の内面にはスペーサ２１を介して連結金具２２が設けられている。この連結金具２２の側面には上記第１のリンク１９の他端部が第１のピン２３によって枢着されている。
【００１８】
上記ベース板１５の下部には第２のリンク２４の一端部が第２のピン２５によって枢着されている。第２のリンク２４の他端部は上記連結金具２２の側面に第３のピン２６によって枢着されている。
【００１９】
左右一対のヒンジ機構１４は、それぞれの第１のリンク１９の他端部が連結ステー２７によって連結されている。それによって、一対の第１のリンク１９が振れないように補強され、扉部材１２も箱状体６の幅方向に振れるのが抑制されている。
【００２０】
上記扉部材１２は図３に実線で示すようにキャビネット５の前面に開口した開口部１１を閉塞している。この状態を扉部材１２の下降位置Ｘとする。扉部材１２は一対のヒンジ機構１４によって、下降位置Ｘから同図に鎖線で示す途中位置Ｙを経て上昇位置Ｚへ上昇させることができる。それによって、キャビネット５に形成された収容部７の前面の開口部１１を開放することができる。
【００２１】
各ヒンジ機構１４に設けられた回転ダンパ１６は、連結板１８を介して第１のリンク１９の一端部の回転を抑制する。つまり、扉部材１２を上昇位置Ｚへ上昇変位させると、その上昇位置Ｚで扉部材１２を保持することができるようになっている。上昇位置Ｚにある扉部材１２に下降方向の力を加えれば、回転ダンパ１６による扉部材１２の保持状態が解除されて緩やかな速度で下降する。
【００２２】
このような構成のベッド装置によれば、ベッド本体１の長手方向の一端にキャビネット５を設け、このキャビネット５に形成された収容部７の開口部１１を開閉する扉部材１２を、上下方向に変位させるようにした。
【００２３】
そのため、扉部材１２によって閉塞された開口部１１を開放する場合には、この扉部材１２を下降位置Ｘから上昇位置Ｚに向かって上方へ変位させればよい。そのため、利用者がマットレス３上に居ても、利用者の身体がほとんど邪魔になることなく扉部材１２を上昇させたり、下降させることができるから、上記扉部材１２の開閉操作を容易に行なうことができる。
【００２４】
箱状体６の開口部１１を開放した扉部材１２はキャビネット５の上方に位置している。そのため、開口部１１を開放した扉部材１２がマットレス３上の利用者の邪魔になるようなこともない。
【００２５】
扉部材１２をキャビネット５に連結したヒンジ機構１４の第１のリンク１９の回転は回転ダンパ１６によって抑制されている。そのため、扉部材１２を下降位置Ｘから上昇位置Ｚへ変位させると、上昇状態を維持することができる。そのため、上昇させた扉部材１２を利用者が保持せずにすむから、そのことによっても使い勝手が向上する。
【００２６】
この発明は上記一実施の形態に限定されず、たとえば扉部材を上昇位置で保持する保持部材は回転ダンパに限られず、たとえばガススプリグを用いて下降位置にある扉部材を上昇させるとともに、上昇位置で保持するようにしてもよい。ガスプリングを用いるようにすれば、このガススプリングの付勢力によって扉部材を上昇させて上昇位置で保持することができるから、軽い力で楽に上昇させることが可能になる。
【００２７】
また、扉部材をガススプリングによって上下動させる場合、リンク機構を用いず、リニアガイドによって扉部材を箱状体の前面に上下動可能に設けるようにしてもよい。そのような構成によれば、開口部を開閉する際、扉部材を箱状体の前方に突出させずに上下動させることができるから、さらに使い易くすることができる。
【００２８】
リニアガイドによって扉部材を上下動させる場合、ガススプリングを用いずにモータなどの他の駆動源を用いてもよく、その場合、その駆動源が扉部材を上昇位置で保持する保持部材となる。
【図面の簡単な説明】
【００２９】
【図１】この発明の一実施の形態を示すベッド装置の斜視図。
【図２】扉部材の一部を破断したキャビネットの正面図。
【図３】キャビネットの一部省略した縦断面図。
【図４】ヒンジ機構の側面図。
【符号の説明】
【００３０】
１…ベッド本体、３…マットレス、５…キャビネット、６…箱状体、１２…扉部材、１４…ヒンジ機構、１６…回転ダンパ、１９…第１のリンク、２４…第２のリンク。
【図１】
2005296398.tif 000003
【図２】
2005296398.tif 000004
【図３】
2005296398.tif 000005
【図４】
2005296398.tif 000006